(57)【要約】【課題】原稿読取り部を駆動するベルト組み付け時の不良を確実かつ容易に検出することができる画像読取り装置を提供する。【解決手段】画像読取り装置は、原稿読取り部と、原稿読取り部に接続されたベルト３６と、ベルト３６が架け渡された複数のプーリー３２，３３，３５と、プーリー３２を駆動するモータとを備えている。ベルト３６の下方には、プーリー３２，３５とベルト３６とが正常に係合している状態では接触しないが、プーリーからベルト３６が脱落した状態においてはベルト３６が接触する接触片２１ａ，２１ｂが設けられている。【選択図】図２
2008003196.tif 000002
【特許請求の範囲】
【請求項１】
原稿を載置するガラス板と、
前記ガラス板に沿って駆動され、前記原稿に向かって光を発光する発光素子および原稿で反射した光を受光する受光素子を有する、原稿読取り部と、
前記原稿読取り部に接続されたベルトと、
前記ベルトが架け渡された複数のプーリーと、
前記複数のプーリーのいずれかを駆動するモータとを備え、
前記ベルト下方の少なくともいずれかの箇所には、前記プーリーと前記ベルトとが正常に係合している状態では接触しないが、前記プーリーからベルトが脱落した状態においてはベルトが接触する平板状の接触片が設けられており、
前記接触片は、前記ベルトと少なくとも二回交差するリブの、前記ベルトと交差する位置に対応する位置にそれぞれ設けられている、画像読取り装置。
【請求項２】
原稿を載置するガラス板と、
前記ガラス板に沿って駆動され、前記原稿に向かって光を発光する発光素子および原稿で反射した光を受光する受光素子を有する、原稿読取り部と、
前記原稿読取り部に接続されたベルトと、
前記ベルトが架け渡された複数のプーリーと、
前記複数のプーリーのいずれかを駆動するモータとを備え、
前記ベルト下方の少なくともいずれかの箇所には、前記プーリーと前記ベルトとが正常に係合している状態では接触しないが、前記プーリーからベルトが脱落した状態においてはベルトが接触する接触片が設けられている、画像読取り装置。
【請求項３】
前記接触片は、前記ベルトに交差する方向に延びるリブの上端に上向きに突出するように設けられている、請求項２に記載の画像読取り装置。
【請求項４】
前記リブは、前記ベルトと少なくとも二回交差し、該リブの前記ベルトと交差する位置に対応する位置にそれぞれ前記接触片が設けられている、請求項３に記載の画像読取り装置。
【発明の詳細な説明】
【技術分野】
【０００１】
この発明は、文字や図形などの画像を読取る画像読取り装置に関する。
【背景技術】
【０００２】
従来から原稿の図形や文字など画像を読取る画像読取り装置が用いられている。画像読取り装置は、原稿の画像を読取るための原稿読取り部を備える。原稿読取り部は、原稿の一方から他方に亙るように長手方向を有する。原稿読取り部は、長手方向に垂直な方向に往復駆動される。
【０００３】
原稿読取り部は、ＣＣＤ（Charge Coupled Device）、またはコンタクトイメージセンサ（ＣＩＳ；Contact Image Sensor）などを含む。
【０００４】
原稿読取り部の駆動には、図４に示すようなベルト３６とプーリー３２，３３，３５とが用いられるのが一般的である。このようなスキャナ装置を開示したものとして、たとえば、特許文献１（特開平８−１０７４７５号公報）がある。
【特許文献１】特開平８−１０７４７５号公報
【発明の開示】
【発明が解決しようとする課題】
【０００５】
図４に示すような、画像読取り装置の組立においては、まず筐体にプーリー３２，３３，３５を組み付ける。その後、プーリー３２，３３，３５に対して、ベルト３６を架け渡す。
【０００６】
このとき、作業上の手違いなどにより、図４に示すように、ベルト３６がプーリー３３，３５に正しく架け渡されないことがある。このような場合、ベルト３６はプーリー３３，３５から脱落し、プーリー３３，３５を支持するシャフト部分に係合される。
【０００７】
このようなベルト３６の組み付け不良は、製品検査の段階で発見される場合が多い。しかし、製品検査における動作試験では、大きな異常が出現せず、一見正常に動作してしまう場合もある。このような場合には、ベルト３６が正しく組みつけられないまま出荷されることが考えられる。
【０００８】
この発明は、上記課題を解決するためになされたものであり、原稿読取り部を駆動するベルト組み付け時の不良を確実かつ容易に検出することができる画像読取り装置を提供することを目的とする。
【課題を解決するための手段】
【０００９】
この発明に基づいた画像読取り装置のある局面に従えば、原稿を載置するガラス板と、上記ガラス板に沿って駆動され、上記原稿に向かって光を発光する発光素子および原稿で反射した光を受光する受光素子を有する、原稿読取り部と、上記原稿読取り部に接続されたベルトと、上記ベルトが架け渡された複数のプーリーと、上記複数のプーリーのいずれかを駆動するモータとを備え、上記ベルト下方の少なくともいずれかの箇所には、上記プーリーと上記ベルトとが正常に係合している状態では接触しないが、上記プーリーからベルトが脱落した状態においてはベルトが接触する平板状の接触片が設けられている。上記接触片は、上記ベルトと少なくとも二回交差するリブの、上記ベルトと交差する位置に対応する位置にそれぞれ設けられている。
【００１０】
この発明に基づいた画像読取り装置の他の局面に従えば、原稿を載置するガラス板と、上記ガラス板に沿って駆動され、上記原稿に向かって光を発光する発光素子および原稿で反射した光を受光する受光素子を有する、原稿読取り部と、上記原稿読取り部に接続されたベルトと、上記ベルトが架け渡された複数のプーリーと、上記複数のプーリーのいずれかを駆動するモータとを備え、上記ベルト下方の少なくともいずれかの箇所には、上記プーリーと上記ベルトとが正常に係合している状態では接触しないが、上記プーリーからベルトが脱落した状態においてはベルトが接触する接触片が設けられている。
【００１１】
上記画像読取り装置においては、上記接触片は、上記ベルトに交差する方向に延びるリブの上端に上向きに突出するように設けられていてもよい。
【００１２】
上記画像読取り装置においては、上記リブは、上記ベルトと少なくとも二回交差し、該リブの上記ベルトと交差する位置に対応する位置にそれぞれ上記接触片が設けられていてもよい。
【発明の効果】
【００１３】
本発明に係る画像読取り装置によると、原稿読取り部を駆動するベルト組み付け時の不良を確実かつ容易に検出することができる。
【発明を実施するための最良の形態】
【００１４】
以下、本発明に係る実施の形態について、図１から図３を参照して説明する。なお、図１は、本実施の形態における画像読取り装置の内部構造を示す斜視図であり、図２および図３は、本実施の形態の画像読取り装置の、プーリーの周辺の構造を示す斜視図である。
【００１５】
本実施の形態における画像読取り装置１は、原稿を載置するガラス板１５と、ガラス板１５に沿って駆動され、原稿に向かって光を発光する発光素子４３および原稿で反射した光を受光する受光素子４４を有する原稿読取り部４１と、原稿読取り部４１に接続されたベルト３６と、ベルト３６が架け渡された複数のプーリー３２，３３，３４，３５と、複数のプーリー３２，３３，３４，３５のいずれかを駆動するモータ３８とを備えている。ベルト３６の下方のいずれかの箇所には、プーリー３２，３３，３４，３５とベルトとが正常に係合している状態では接触しないが、プーリーからベルト３６が脱落した状態においてはベルト３６が接触する接触片２１ａ，２１ｂが設けられている。
【００１６】
本実施の形態における画像読取り装置１は、外側を覆う筐体１１を有している。筐体１１の上部には、原稿が載置されるガラス板１５が配設されている。ガラス板１５の上面側には、図示しない平板状の蓋が配置されている。
【００１７】
ガラス板１５の下面側には原稿読取り部４１が配置されている。原稿読取り部４１は、ガラス板の下側に沿って往復駆動される。原稿読取り部４１は、コンタクトイメージセンサを含む。原稿読取り部４１はＣＣＤを用いるものなど他の形式のセンサを用いるものでも良い。
【００１８】
前記原稿読取り部４１には図示しないフラットケーブルなどを介して、制御装置が電気的に接続されている。
【００１９】
原稿読取り部４１は、その駆動方向に延びるレール１２や図示しないシャフトなどによって、動作方向が規制されている。原稿読取り部４１にはベルト３６が接続され、ベルト３６の駆動に伴なって原稿読取り部４１は、往復駆動される。
【００２０】
ここでは、ベルト３６は、４つのプーリー３２〜３５の間に架け渡されている。ベルト３６は、プーリー３２により駆動される。プーリー３２は、プーリー３２と一体化されたギア３１およびそのギア３１と噛み合うギア３７とを介してモータ３８により駆動される。図１で示した、原稿読取り部４１を駆動する構造はあくまでも一例であり、これに限定されるものではない。
【００２１】
なお、特許請求の範囲および明細書中において、プーリーとは、ベルトを駆動するもの、ベルトの動きに従動するものの両方を含む。また、典型的なプーリーに限定されず、ベルトの凹凸と噛み合う歯付きのものや、歯車状のものなども含む。
【００２２】
筐体１１の底部には、ベルト３６と交差方向に延びるリブ２１が設けられている。リブ２１は、筐体１１の構造上必要となるものである。そのリブ２１の上端には、後述する接触片２１ａ，２１ｂが設けられている。
【００２３】
図２および図３を参照して、接触片２１ａ，２１ｂおよびプーリー３２，３３，３５付近の構造についてより詳しく説明する。正常な状態では、図２に示すように、ベルト３６は、プーリー３３、プーリー３２、プーリー３５に順に架け渡されている。
【００２４】
ベルト３６と交差する方向にはリブ２１が設けられており、その上端には接触片２１ａ，２１ｂが設けられている。接触片２１ａ，２１ｂは、平板状に構成されており、その法線方向と、ベルト３６の延びる方向とが略一致するように構成されている。
【００２５】
また接触片２１ａ，２１ｂの上端の高さは、ベルト３６が、プーリー３３，３５に正常に係合した状態においては接触しない高さに設定されている。また、接触片２１ａ，２１ｂの上端は水平に構成されている。
【００２６】
図３は、組み付け時の作業不良により、ベルト３６がプーリー３３，３５から脱落した状態を示している。この場合には、ベルト３６は、プーリー３３，３５をそれぞれ支持するシャフト部３３ａ，３５ａと係合する。
【００２７】
プーリー３３，３５から脱落した状態では、ベルト３６は、正常な状態より低い位置に位置する。接触片２１ａ，２１ｂの上端の高さは、ベルト３６がこのような低い位置に位置するときには、その先端が接触するような高さとされている。
【００２８】
製品検査時にこの状態でベルト３６を駆動すると、ベルト３６と接触片２１ａ，２１ｂとの接触部から異常音が発生する。これにより、製品検査者は、ベルト３６がプーリー３３，３５に正常に係合されていないことを容易に知ることができる。
【００２９】
これにより、製品検査者は、ベルト３６がプーリー３３，３５に正常に係合されていない製品が出荷されることを確実に防止することができる。
【００３０】
接触片２１ａ，２１ｂは、できるだけ大きな異常音が発生することが好ましいので、ここでは異常音の発生しやすい平板状に構成している。またベルト３６の接触片２１ａ，２１ｂに対向する部分に、凹凸を設けておくことで、より大きな異常音を発生することができる。
【００３１】
また、接触片２１ａ，２１ｂをプーリー３３，３５のできるだけ近傍に設けることにより、接触片２１ａ，２１ｂとベルト３６とが強く接触する。これにより、より大きな異常音を発生させることができる。
【００３２】
ここでは、リブ２１の上端に接触片２１ａ，２１ｂを設けているので、少ない材料で接触片２１ａ，２１ｂを形成することができる。また、ここでは、ベルト３６と二回交差するリブ２１の上に接触片２１ａ，２１ｂを設けているので、接触片２１ａ，２１ｂを設けるための材料の増加を最小限にすることができ、またその設計変更が容易である。
【００３３】
本実施の形態では、プーリー３４とプーリー３５との間、および、プーリー３４とプーリー３３との間の、プーリー３５、プーリー３３近傍に接触片２１ａ，２１ｂを設けたが、プーリー３３とプーリー３２との間や、プーリー３２とプーリー３５との間に接触片を設けても良い。
【００３４】
また、プーリー３４とプーリー３５との間、および、プーリー３４とプーリー３３との間の、プーリー３４の近傍に接触片を設けても良い。
【００３５】
さらに、上記の実施の形態では接触片を平板状に構成したが、必ずしもこの形状に限定されるものではなく、異常音が発生しやすい形状であればどのような形状でも良い。
【００３６】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００３７】
【図１】この発明に基づいた実施の形態における画像読取り装置の内部構造を示す斜視図である。
【図２】この発明に基づいた実施の形態における画像読取り装置の、プーリーの周辺の構造を示す斜視図である。
【図３】この発明に基づいた実施の形態における画像読取り装置の、プーリーの周辺の構造を示す斜視図である。
【図４】従来の画像読取り装置の、プーリーの周辺の構造を示す斜視図である。
【符号の説明】
【００３８】
１  画像読取り装置、１１  筐体、１２  レール、１５  ガラス板、２１  リブ、２１ａ，２１ｂ  接触片、３１  ギア、３２，３３，３４，３５  プーリー、３６  ベルト、３７  ギア、３８  モータ、４１  原稿読取り部、４３  発光素子、４４  受光素子。
【図１】
2008003196.tif 000003
【図２】
2008003196.tif 000004
【図３】
2008003196.tif 000005
【図４】
2008003196.tif 000006